(57)【要約】【課題】既存の計器の端子部に接続可能であり且つ接続時の作業性に優れる、変流器内蔵据置端子を提供する。【解決手段】変流器を内蔵する本体を備え、計器と配電線との間に接続される変流器内蔵据置端子であって、前記計器に接続される二次端子としての棒端子と、前記棒端子を所定のピッチで前記本体に対して横一列に配列するように、前記棒端子を固定する固定具と、を備える、変流器内蔵据置端子を提供する。【選択図】図１
2015184227.tif 000002
【特許請求の範囲】
【請求項１】
変流器を内蔵する本体を備え、計器と配電線との間に接続される変流器内蔵据置端子であって、
前記計器に接続される二次端子としての棒端子と、
前記棒端子を所定のピッチで前記本体に対して横一列に配列するように、前記棒端子を固定する固定具と、
を備える、変流器内蔵据置端子。
【請求項２】
請求項１に記載の変流器内蔵据置端子であって、
前記配電線に接続される基端部と前記変流器の貫通穴を通って突出する先端部を有する、一次端子と、
前記一次端子の先端部を覆う上部カバーと、
を備えており、
前記上部カバーは、前記棒端子を外部に露出させる開口部を有し、前記開口部は、前記固定具が前記開口部内で可動であるように寸法が決められている、変流器内蔵据置端子。
【請求項３】
請求項２に記載の変流器内蔵据置端子であって、
少なくとも前記一次端子の基端部を覆うように前記本体の前面に取り付けられる端子カバーを備えており、前記端子カバーは、前記本体の前面の全体を覆う第一の位置および前記第一の位置に対して上下方向に反転した第二の位置のいずれか一方で前記本体に取り付けられた状態で使用される、変流器内蔵据置端子。
【請求項４】
請求項３に記載の変流器内蔵据置端子であって、
前記端子カバーは、前記第一の位置において前記一次端子の基端部および前記変流器の二次出力部の両方を覆い、前記第二の位置において前記一次端子の基端部および前記変流器の二次出力部のうち前記変流器の二次出力部のみを露出させる、変流器内蔵据置端子。
【請求項５】
請求項４に記載の変流器内蔵据置端子であって、
前記変流器の二次出力部を短絡させる短絡装置を備えており、
前記端子カバーは、短絡状態にある前記短絡装置と干渉する位置に突起を備えている、変流器内蔵据置端子。
【請求項６】
請求項２に記載の変流器内蔵据置端子であって、前記上部カバーは、前記変流器を前記本体内で固定する固定用突起を有する、変流器内蔵据置端子。
【請求項７】
請求項２に記載の変流器内蔵据置端子であって、前記上部カバーおよび前記本体の少なくとも一方に、前記変流器の検定封印票を収容するホルダー部が形成されている、変流器内蔵据置端子。
【請求項８】
請求項２〜７のうちいずれか一項に記載の変流器内蔵据置端子であって、前記一次端子は、直線状に延びるプレート型端子である、変流器内蔵据置端子。
【発明の詳細な説明】
【技術分野】
【０００１】
本発明は、例えば電力量計の計器に使用される、変流器内蔵据置端子に関する。
【背景技術】
【０００２】
一般に、電力量計の計器は、計器用変成器と組み合わせず単独で使用される単独計器と、変流器または計器用変成器と組み合わせて使用される変成器付計器とに分類される。計器の取り付けに使用できる壁面の面積は限られているため、従来、比較的大型の変流器または計器用変成器は、計器とは別の設置スペースに離れて配置され、両者は電線によるねじ締めで接続されている。
【０００３】
しかし、計器は、検定期限が定められており、所定期間ごとの交換が義務付けられている。計器交換時、ねじ締めにより固定された電線を計器から着脱する作業は煩雑であり、また、充電部が露出する部位においては安全のために防護シート等の敷設が必要となる。また、計器の端子部は、変流器等からの出力電流が供給される電流端子の他、線間の電圧検出及び計器の回路電源の生成に使用される電圧端子を備えており、これらの端子に接続される７本の電線（三相３線式の場合）が計器に取り付けられる。従って、計器から外された異極の電線同士を接触させる虞があると共に、計器と接続する際には誤結線の虞もあり、これらは、いずれも重大な事故に繋がる虞がある。また、無停電での計器交換作業をする場合、従来のバイパス工事は費用も時間もかかり、非熟練者にとっては難しい高度な技術を必要とする。
【０００４】
一方、変流器を据置端子の密閉空間内に保持する変流器内蔵据置端子が、特開２０１０−１４５２６５号により提案されている。特開２０１０−１４５２６５号では、変流器を小型化し、変流器等と計器を含む全体を、従来の計器の設置スペース内に収めている。特開２０１０−１４５２６５号の変流器内蔵据置端子では、計器との接続にコネクタを使用することにより、計器交換の作業性を向上させている。しかし、この構成では、計器が、据置端子のコネクタに接続される専用のコネクタを備える必要がある。
【先行技術文献】
【特許文献】
【０００５】
【特許文献１】特開２０１０−１４５２６５号
【発明の概要】
【発明が解決しようとする課題】
【０００６】
本発明は、異極電線同士の接触等の虞なく、単純な作業によって既存の計器の端子部に接続可能であり、従って、計器交換作業に要する時間を飛躍的に短縮することができる、変流器内蔵据置端子を提供することを目的とする。また、本発明は、無停電での計器交換の作業性を向上させ、計器交換作業に要する時間を飛躍的に短縮することのできる、変流器内蔵据置端子を提供することを目的とする。また、本発明は、組立性に優れる変流器内蔵据置端子を提供することを目的とする。
【課題を解決するための手段】
【０００７】
請求項１の発明によれば、変流器を内蔵する本体を備え、計器と配電線との間に接続される変流器内蔵据置端子であって、計器に接続される二次端子としての棒端子と、棒端子を所定のピッチで本体に対して横一列に配列するように、棒端子を固定する固定具と、を備える、変流器内蔵据置端子を提供することができる。この構成によれば、棒端子を、既存の計器の端子部の配列に対応する配列で予め固定し、既存の計器の端子部にねじ締めによって接続することができる。従って、既存の計器の端子部に、専用のコネクタを用いる必要無く且つ誤結線のおそれなく接続できる、変流器内蔵据置端子を接続することができる。
【０００８】
請求項２の発明によれば、請求項１に記載の変流器内蔵据置端子であって、配電線に接続される基端部と変流器の貫通穴を通って突出する先端部を有する、一次端子と、一次端子の先端部を覆う上部カバーと、を備えており、上部カバーは、棒端子を外部に露出させる開口部を有し、開口部は、固定具が開口部内で可動であるように寸法が決められている、変流器内蔵据置端子を提供することができる。この構成によれば、上部カバーによって、一次側の充電部が露出されないようにすることができ、また、据置端子内への異物の侵入や第三者のいたずらを防止することができる。また、固定具を上部カバーの開口部内で可動であるようにすることによって、計器の端子部への棒端子の接続作業を容易に行なうことができる。
【０００９】
請求項３の発明によれば、請求項２に記載の変流器内蔵据置端子であって、少なくとも一次端子の基端部を覆うように本体の前面に取り付けられる端子カバーを備えており、端子カバーは、本体の前面の全体を覆う第一の位置および第一の位置に対して上下方向に反転した第二の位置のいずれか一方で本体に取り付けられた状態で使用される、変流器内蔵据置端子を提供することができる。この構成により、例えば、第二の位置において変流器の二次出力部のみを露出させ、計器交換の際に必要とされる短絡作業を、作業者が一次側の充電部に触れるおそれなく行なうことができる。また、従来、計器交換の際等に充電部が露出する部位においては安全のために防護シート等の敷設が必要とされるが、請求項３の発明によれば、端子カバーを反転させるという単純な作業によって安全性を担保することができる。
【００１０】
請求項４の発明によれば、請求項３に記載の変流器内蔵据置端子であって、端子カバーは、第一の位置において一次端子の基端部および変流器の二次出力部の両方を覆い、第二の位置において一次端子の基端部および変流器の二次出力部のうち変流器の二次出力部のみを露出させる、変流器内蔵据置端子を提供することができる。この構成により、計器交換の際に必要とされる短絡作業を、作業者が一次側の充電部に触れるおそれなく行なうことができる。
請求項５の発明によれば、請求項４に記載の変流器内蔵据置端子であって、変流器の二次出力部を短絡させる短絡装置を備えており、端子カバーは、短絡状態にある短絡装置と干渉する位置に突起を備えている、変流器内蔵据置端子を提供することができる。この構成によれば、短絡状態の間は短絡装置が端子カバーの突起と干渉するため、端子カバーを閉じることができない。従って、無停電での計器交換作業終了後に、作業者が短絡状態を解除し忘れることを確実に防止することができる。
【００１１】
請求項６の発明によれば、請求項２に記載の変流器内蔵据置端子であって、上部カバーは、変流器を本体内で固定する固定用突起を有する、変流器内蔵据置端子を提供することができる。この構成により、変流器を本体内でガタを生じさせることなく安定した状態で確実に固定することができる。
【００１２】
請求項７の発明によれば、請求項２に記載の変流器内蔵据置端子であって、上部カバーおよび本体の少なくとも一方に、変流器の検定封印票を収容するホルダー部が形成される、変流器内蔵据置端子を提供することができる。この構成により、検定作業後に上部カバーを本体に取り付ける際、検定封印票が上部カバーと本体との間に挟み込まれて取り付けを妨げるおそれがない。
【００１３】
請求項８の発明によれば、請求項２〜７のうちいずれか一項に記載の変流器内蔵据置端子であって、一次端子は、直線状に延びるプレート型端子である、変流器内蔵据置端子を提供することができる。この構成により、曲げを有する一次端子等を用いる場合と比較して、据置端子の組立性を向上させることができる。また、複数の一次端子を同一形状とすることができるので、部品点数を低減し、金型等の設備投資を抑え、量産効率を高くすることができる。
【発明の効果】
【００１４】
本発明によれば、異極電線同士の接触等の虞なく、単純な作業によって既存の計器の端子部に接続可能であり、従って、計器交換作業に要する時間を飛躍的に短縮することができる、変流器内蔵据置端子を提供することができる。また、本発明によれば、無停電での計器交換の作業性を向上させ、計器交換作業に要する時間を飛躍的に短縮することのできる、変流器内蔵据置端子を提供することができる。また、本発明によれば、組立性に優れる変流器内蔵据置端子を提供することができる。
【図面の簡単な説明】
【００１５】
【図１】本発明の一実施形態による変流器内蔵据置端子を計器と共に示す正面図である。
【図２】据置端子及び計器の内部結線図である。
【図３】一次端子と変流器の位置関係を示す図である。
【図４Ａ】上部カバーが取り付けられた据置端子本体を一次端子側から見た斜視図である。
【図４Ｂ】上部カバーが取り付けられた据置端子本体を二次端子側から見た斜視図である。
【図５】据置端子本体に対する固定具の配置を示す図である。
【図６】据置端子本体、棒端子組立体及び上部カバーを示す分解斜視図である。
【図７】棒端子組立体の分解斜視図である。
【図８】（Ａ）は固定具の第１の部分を示す正面図であり、（Ｂ）は固定具の第１の部分を示す後面図である。
【図９】固定具の第２の部分の後面図である。
【図１０】変流器と上部カバーの位置関係を示す図である。
【図１１】ホルダー部を示す図である。
【図１２】据置端子本体への端子カバーの取り付けを示す図である。
【図１３Ａ】端子カバーの第一の位置を示す図である。
【図１３Ｂ】端子カバーの第二の位置を示す図である。
【図１４】短絡装置の一例を示す図である。（Ａ）は非短絡状態を示し、（Ｂ）は短絡状態を示す。
【図１５】端子カバーの突起を示す図である。
【図１６】端子カバーの突起と短絡装置との位置関係を示す部分破断斜視図である。
【発明を実施するための形態】
【００１６】
以下、添付図面を参照して、本発明の一実施形態を説明する。
【００１７】
［全体概要］
図１に、本発明の一実施形態による変流器内蔵据置端子（以下、据置端子）１を計器２と共に示す。計器２は、例えば、電子式電力量計である。据置端子１は、通常、取り付け板（図示せず）を介して、計器２と共に建物の壁面等に取り付けられて使用される。尚、以下の説明において、「上」、「下」、「左」、「右」、「前」、「後」、「正面」、「背面」、「裏面」等の方向を示す用語は、特に断りのない限り、据置端子１及び計器２の壁面への取り付け状態に関して用いられる。
【００１８】
図１〜図３を参照すると、据置端子１は、変流器３を内蔵する本体４を備えており、計器２と配電線５（ＫＵ、ＬＵ、Ｖ、ＫＷ、ＬＷ）との間に接続される。尚、一例として、本実施形態の据置端子１は、例えば定格電流が５Ａの電子式電力量計に接続することができ、例えば定格電流が２５０Ａ等の大容量の電子式電力量計の代替として、変流器内蔵の据置端子１と定格電流が５Ａの電子式電力量計との組み合わせを用いることができる（据置端子及び計器の内部結線図の例を図２に示す）。図１に示すように、配電線５（ＫＵ、ＬＵ、Ｖ、ＫＷ、ＬＷ）は、その先端部が圧着端子６に圧着されて一次端子７の基端部７ｂにねじ止めされる。左右一対の変流器３によって、一次端子（一次電流端子）７の電流が、規定の変流比倍されて変流器３の二次出力部（二次電流端子）８から出力されるように構成されており、一次端子７の各々の先端部７ｃは、略リング状の変流器３の貫通穴を通って延びている。図３に、一次端子７と変流器３の位置関係を示す。図３に示されるように、一次端子７は、直線状に延びるプレート型端子である。９は、計器２の端子部２ａに接続される二次端子としての棒端子である。後述するように、棒端子９は、固定具１０に仮固定された組立体（以下、棒端子組立体）の形態で、本体４に取り付けられる。尚、図１及び図３において、据置端子１の本体４の二次側は、後述する上部カバー１０２で覆われた状態で示されており、変流器３の二次出力部（二次電流端子）８のみが露出されている。
【００１９】
［本体について］
本体４は、配電線５に接続される一次端子７の基端部７ｂが配置される一次側結線部４ａと、変流器３及び一次端子７の先端部７ｃとが配置される二次側結線部４ｂとを備えている。一次側結線部４ａと二次側結線部４ｂとは隔壁４０を介して互いに一体に成形されている。すなわち、隔壁４０は、一次側結線部４ａの上壁を形成すると共に二次側結線部４ｂの下壁を形成している。図４Ａは、据置端子１を一次側結線部４ａ側から見た斜視図である。
【００２０】
図４Ａに示されるように、一次側結線部4ａは、左右の側壁４１、４２及び側壁４１、４２に連続する後壁４３を有し、側壁４１、４２と後壁４３に囲まれた凹部内には、左右の側壁４１、４２と平行に隔壁４４が突設され、側壁４１、４２及び隔壁４４の各々の間の後壁４３に、一次端子７の基端部７ｂが固定される。また、下壁４５が、一次端子７の基端部７ｂに固定される圧着端子６（図１参照）の、本体４からの抜けを防止するように、後壁４３から前方に延びている。尚、中央の２つの隔壁４４の間には、２つ（Ｖ）の一次端子７の基端部７ｂが、前後に重ねた状態で配置される。４６は後述する端子カバー１０３を本体４の前面に取り付けるためのねじ穴であり、４７ａ、４７ｂは、据置端子１を上記した取り付け板に取り付けるための取り付け穴である。
【００２１】
各一次端子７の基端部７ｂには、配電線５を固定するためのねじ２００を受け入れるためのねじ穴７ａ（図３参照）が形成されている。圧着端子６の圧着部にも、ねじ２００を受け入れるための開口部が形成されており、圧着部の開口部を通したねじ２００をねじ穴７ａに螺合させることにより、配電線５を一次端子７の基端部７ｂに固定することができる。また、一次側結線部４ａと二次側結線部４ｂとの間の隔壁４０には貫通穴（図示せず）が形成されており、一次端子７の各々の先端部７ｃがこれら貫通穴を通って二次側結線部４ｂ内に延びている。上記したように、一次端子７は、直線状に延びるプレート型端子である。このように一次端子７を直線状に延びるプレート型端子にすることにより、例えば、上記特開２０１０−１４５２６５号に記載されるような曲げを有する一次端子と比較して、据置端子１の組立性を向上させることができる。また、複数の一次端子７を同一形状とすることができるので、部品の種類を低減し、金型等の設備投資を抑え、量産効率を高くすることができる。
【００２２】
図４Ｂは、本体４を二次結線部４ｂ側から見た斜視図である。二次側結線部４ｂ内では、１側（ＫＵ、ＬＵ）の一次端子７のいずれか一方（本実施形態ではＬＵ）の先端部７ｃ及び３側（ＫＷ、ＬＷ）の一次端子７のいずれか一方（本実施形態ではＫＷ）の先端部７ｃが変流器３の貫通穴を通るように、左右一対の変流器３が配置されている（図３参照）。各一次端子７は実質的に同一の長さを有しており、図３に示すように、１側（ＫＵ、ＬＵ）の一次端子７の先端部７ｃが導体１１の左右端部にそれぞれねじ止めされ、同様に、３側（ＫＷ、ＬＷ）の一次端子７の先端部７ｃが導体１１の左右端部にそれぞれねじ止めされる。導体１１は、後述するリード線１２の一端に接続される。
【００２３】
図５は、本体４の二次側の上部カバー１０２を外した状態を示している。変流器３は、一次端子７の先端部７ｃを通す貫通穴を有する略リング形状であり、変流器３の外側は、リード線１２が接続される二次出力部８を残して、所定の形状にモールド成形された樹脂で覆うことができる。変流器３の厚さは、一次端子７の先端部７ｃが突出するように、隔壁４０からの一次端子７の突出長さよりも小さく設定されている。左右一対の変流器３を位置決めするように、二次側結線部４ｂの前壁４８の内側表面には切欠き部４８ａが形成され、後壁４９の内側表面に湾曲溝４９ａが形成されており、切欠き部４８ａ及び湾曲溝４９ａは、変流器３の外側形状に沿うように形成されている。上記したように、左右の変流器３の間および両側にも、隔壁４０の貫通穴を通る一次端子７の先端部７ｃが配置される。
【００２４】
後壁４９の上部には、固定具１０、ひいては棒端子組立体を保持するための保持部５０が形成されている。図６は、本体４、リード線１２が接続され固定具１０により仮固定された棒端子９、及び上部カバー１０２を示す分解斜視図である。図６に示すように、保持部５０は後壁５０ａ及び左右の側壁５０ｂによって形成される凹部を備えており、固定具１０は、図５に示すように保持部５０の凹部内で保持される。後述するように、据置端子１と計器２との接続作業中に固定具１０の前後方向の動きを許容するため、保持部５０の前側は開放されている。
【００２５】
［棒端子組立体について］
図５に示すように、棒端子９は、固定具１０に仮固定され、棒端子組立体の形態で本体４の保持部５０内に配置される。また、図６に示すように、棒端子９は、一次端子７に接続された導体１１および変流器３の二次出力部８に、リード線１２により接続される。図７に、棒端子組立体の分解斜視図を示す。尚、以下に説明する固定具１０の構成は、単に一例にすぎず、本発明に用いられる固定具の具体的構成を限定するものではない。図７に示すように、棒端子組立体は、棒端子９と固定具１０により形成され、固定具１０は、棒端子９の棒部９ｂを通す開口部１００ａを有する第１の部分１００と、第１の部分１００と係合して棒端子９の開口部１００ａからの抜け止めを行なう第２の部分１０１とを備えている。棒端子９は、第１の部分１００と第２の部分１０１との間で挟持される。具体的には、棒端子９は、リード線１２の先端部が棒端子９の圧着部９ａに圧着された状態で固定具１０により仮固定され、このとき、図６に示すように、棒端子９の棒部９ｂは固定具１０から露出される。
【００２６】
図８（Ａ）、（Ｂ）に第１の部分１００の正面図と後面図、図９に第２の部分の後面図を示す。図７に示されるように、第１の部分１００における、図８（Ａ）に示される側（換言すれば、内側）と第２の部分１０１における、図９に示される側（換言すれば、内側）とが対向するように組み合わされて、棒端子９が挟持される。
【００２７】
図７〜図９を参照すると、第１の部分１００は、上壁１００ｂ、前壁１００ｃ、後壁１００ｄ、左右側壁１００ｅにより画定される凹部を形成する圧着部収容部１００ｆを備え、凹部内に棒端子９の圧着部９ａが収容される。棒端子９の棒部９ｂを通す開口部１００ａは、圧着収容部１００ｆの上壁１００ｂに形成されている。圧着収容部１００ｆの左右の側壁１００ｅの間には、側壁１００ｅと平行に隔壁１００ｇが、計器端子部２ａの端子ピッチに対応する所定のピッチで配置されており、側壁１００ｅ及び隔壁１００ｇの各々の間に画定される空間に各棒端子９が挿入される。側壁１００ｅは、圧着部９ａを長さ方向に実質的に覆う長さを有しており、隔壁１００ｇは、隣り合う棒端子９間が確実に絶縁されるように側壁１００ｅを十分に越える長さで圧着部収容部１００ｆの下方まで延びている。後壁１００ｄもまた、圧着部収容部１００ｆを越えて下方に延び、その下端部が保持部５０の後壁５０ａに沿って保持部５０内に挿入されるように構成される。第１の部分１００はまた、後壁１００ｄの左右両端に形成される切欠き部１００ｈ及び中央部に形成される一対の開口部１００ｉを有し、第２の部分１０１に形成される爪部１０１ｄ（後述）が切欠き部１００ｈ及び開口部１００ｉを通り、後壁１００ｄに係合するように構成される。また、開口部１００ｉと切欠き部１００ｈの間に形成される開口部１００ｊには第２の部分１０１に形成される突起１０１ｅ（後述）が通される。
【００２８】
第２の部分１０１は、圧着部９ａの端部に係合して圧着部９ａの抜け止めを行なう上面を有する上壁１０１ａと、上壁１０１ａから連続して形成される、左右の側壁１０１ｂ及び側壁１０１ｂの間に等間隔に配置される隔壁１０１ｃとを備えている。上述の爪部１０１ｄは、左右の側壁１０１ｂ及び中央の一対の隔壁１０１ｃに形成され、残りの隔壁１０１ｃに上述の突起１０１ｅが形成されている。
【００２９】
棒端子組立体を組み立てる際、各リード線１２の先端に圧着により接続された棒端子９の棒部９ｂを、第１の部分１００の開口部１００ａに通し、圧着部９ａを圧着部収容部１００ｆに挿入する。次に、第２の部分１０１の側壁１０１ｂ及び隔壁１０１ｃの各々の間の空間Ｖにリード線１２を配置すると共に、第２の部分１０１の突起１０１ｅ及び中央の爪部１０１ｄをそれぞれ対応する第１の部分１００開口部１００ｊ、１００ｉに挿入し、第２の部分１０１を第１の部分１００に対して位置決めする。第１の部分１００と第２の部分１０１との間の係合は、第１の部分１００の後壁１００ｄに、第２の部分１０１の側壁１０１ｂ及び隔壁１０１ｃの爪部１０１ｄを係合させることにより行なわれる。リード線１２が挿入される空間Ｖは、圧着部９ａが通ることができない寸法に設定されている。すなわち、圧着部収容部１００ｆに収容された圧着部９ａが第２の部分１０１の上壁１０１ａの上面に当接するような寸法に設定されている。こうして、棒端子９が固定具１０に仮固定された棒端子組立体が形成される。棒端子組立体は、第１の部分１００の後壁１００ｄを保持部５０の後壁５０ａに沿わせるようにして保持部５０内に配置される。棒端子９は、従来と同様にねじ締めによって、計器２の端子部２ａに接続される。
【００３０】
このように、固定具１０を用いることにより、従来の電線のねじ締めを必要とすることなく棒端子９を、既存の計器端子部の配列に合わせて、本体４に対して容易に横一列に所定のピッチで予め固定しておくことができ、また、従来と同様にねじ締めによって既存の計器の端子部に接続することができる。従って、従来、二次側で行なわれている各電線ごとの結線作業と異なり、誤結線の虞無く且つ計器に専用のコネクタを設ける必要無く、既存の計器との接続作業を円滑に行なうことができる。
尚、上記したように、本発明に用いられる固定具１０の具体的構成は、本実施形態に記載するものに限られない。固定具１０は、棒端子９を計器端子部２ａの端子ピッチに対応する所定のピッチで、据置端子本体４に対して横一列に配列し固定することができるものであればよく、例えば、適宜の形態の固定具１０に、接着剤、ねじ、または超音波溶着等の手段を用いて棒端子９を固定することにより、棒端子組立体を構成してもよい。棒端子９を固定具１０に固定するための手段としては、当業者に一般的に知られている種々の固定手段を用いることが可能であり、それらの手段は、本発明の範囲に含まれる。
【００３１】
［上部カバーについて］
据置端子１は、さらに、一次端子７の先端部７ｃを覆い且つ棒端子９の棒部９ｂを外部に露出させる開口部１０２ａを有する、図６に示すような上部カバー１０２を備えている。棒端子９は、上部カバー１０２の内側で固定具１０により仮固定される。開口部１０２ａは、固定具１０、ひいては棒端子組立体が、開口部１０２ａ内で可動であるように寸法が決められている。図１に示すように、従来の計器２の端子部２ａは、一般に、配電線のための挿入穴２０１を有しており、挿入穴２０１は、計器２の下方で開口している。据置端子１を計器２に接続する際は、棒端子９の棒部９ｂが各挿入穴２０１に挿入されねじ締めされるが、棒端子９は、配電線５のような可撓性を有していない。そこで、上記したように本体４の保持部５０の前側を開放し、また、上部カバー１０２の開口部１０２ａの寸法を、固定具１０が開口部１０２ａ内で前後左右に移動することを許容するように設定することにより、挿入穴２０１に対する棒端子９のスムーズな抜き差しを可能にしている。これにより、棒端子９と計器２の端子部２ａとの接続を容易に行なうことができる。挿入穴２０１に対する棒端子９の抜き差しをよりスムーズにするため、リード線１２はできるだけ高い可撓性を有することが好ましい。尚、上部カバー１０２は、その背面側において、本体４の後壁４９にねじ止めされる。
【００３２】
また、上部カバー１０２の内側表面には、変流器３の外側表面に当接可能な突起１０２ｂが形成されている。図１０（Ａ）、（Ｂ）に、変流器３と上部カバー１０２との位置関係を示す。変流器３は、上記した本体４の切欠き４８ａ及び湾曲溝４９ａによって位置決めされるが、上下方向にガタつきが生じるおそれがある。変流器３にガタつきがあると、変流器３の外側モールド樹脂が周囲の部材で擦れて粉が発生し、異物となる。図１０（Ｂ）に示すように変流器３を突起１０２ｂと本体４の隔壁４０の間に挟み込むことにより、変流器３の上下方向のガタつきを確実に防止することができる。所望により、突起１０２ｂと変流器３との間に、ゴムやスポンジ等の緩衝材を挿入してもよい。
【００３３】
また、図６に示すように、上部カバー１０２は、変流器３の検定終了後に封印線（換言すれば、ワイヤー）を通す封印穴１０２ｃを備える。本体４も、封印穴１０２ｃに対応する位置に封印穴４８ｂを備えており、これら封印穴１０２ｃ、４８ｂにワイヤーを通して封印が行われる。
【００３４】
据置端子１の変流器３は、一定期間ごとに検定が行われ、検定終了後には、図１１に示すように、封印穴１０２ｃ、４８ｂに封印線（ワイヤー）が通され、封印材１０５を取り付けることにより変流器３が据置端子１内で封印される。このとき、検査に合格したことを証明する、プレート状の検定封印票１０６が封印材１０５に取り付けられるが、上部カバー１０２の側壁には、プレート状の封印票１０６が挿入され保持される凹部を形成する、ホルダー部１０２ｅが設けられている。尚、ホルダー部１０２ｅは、本体４に設けられていてもよい。ホルダー部１０２ｅを設けることにより、検定作業後に後述する端子カバー１０３を本体４に取り付ける際に検定封印票１０６が端子カバー１０３と本体４との間に挟み込まれて取り付け作業を妨げるおそれがなく、取り付け作業をスムーズに行なうことができる。
【００３５】
［端子カバーについて］
計器２を使用する際、据置端子１の本体４の前面には、図１２に示すような端子カバー１０３が取り付けられる。図１２に示すように、本体４の前面の二次側は、既に上部カバー１０２によって覆われており、変流器３の二次出力部８のみが外部に露出されている。従って、端子カバー１０３は、少なくとも一次端子７の基端部７ｂを覆うように本体４の前面に取り付けられる。図１３Ａと図１３Ｂは、それぞれ、第一の位置、第二の位置で本体４の前面に取り付けられる端子カバー１０３の斜視図である。端子カバー１０３は、本体４の前面の全体を覆う、図１３Ａに示すような第一の位置、および、第一の位置に対して上下方向に反転した、図１３Ｂに示すような第二の位置のいずれか一方で本体４に取り付けられた状態で使用される。図１３Ａに示す第一の位置においては、充電部である一次端子７の基端部７ｂおよび変流器３の二次出力部８の両方が端子カバー１０３によって覆われている。一方、第二の位置においては、一次端子７の基端部７ｂおよび変流器３の二次出力部８のうち変流器３の二次出力部８のみが露出している。例えば、無停電で計器２を交換する際など、二次出力部８を短絡させる必要がある場合に、端子カバー１０３を第一の位置で本体４に固定しているねじ１０３ａをねじ穴４６から外して、端子カバー１０３を本体４から取り外し、上下方向に反転させ、再びねじ１０３ａをねじ穴４６に取り付けることにより、端子カバー１０３を第二の位置で本体４に固定することができる。このとき、一次側充電部は端子カバー１０３および上部カバー１０２によって完全に覆われているので、作業者は、一次側充電部に触れるおそれなく、スムーズに短絡作業を行なうことができる。短絡作業は、例えば、図示されるように同極の二次出力部８の一方に取り付けられたフック状の短絡片８ａ等の、短絡装置を用いて行なわれる。本実施形態では、短絡作業は、１側（ＫＵ、ＬＵ）の一対の二次出力部８及び３側（ＫＷ、ＬＷ）の一対の二次出力部８を、それぞれ、フック状の短絡片８ａで接続することによって行なわれる。図１４（Ａ）、（Ｂ）は、それぞれ、短絡片８ａの非短絡状態、短絡状態を示している。尚、本発明に用いられる短絡装置は、図示の短絡片８ａに限られることなく、例えば、バナナクリップまたはワニ口端子等、任意の短絡構造を用いることができる。
【００３６】
計器交換作業終了後は、端子カバー１０３を再び上下方向に反転させて第一の位置で本体４に固定する必要があるが、このとき、作業者が短絡状態を解除し忘れることを防止するため、端子カバー１０３は、その裏面に、図１５に示されるような突起１０３ｂを備えている。突起１０３ｂは、端子カバー１０３が第一の位置に配置されたときに、短絡状態の短絡片８ａに干渉する（換言すれば、当接する）位置に形成されている。図１６に、突起１０３ｂと短絡片８ａ（非短絡状態にある）との位置関係を示す。図１６に示すように、短絡片８ａが非短絡状態にあるときは、突起１０３ｂは、同極の二次出力部８間の間隙内に収まるので、端子カバー１０３は、短絡片８ａと干渉することなく、本体４に固定される。
すなわち、本実施形態において、無停電での計器交換作業は以下の手順で行なわれる。
（１）ねじ１０３ａをねじ穴４６から外し、第一の位置にある端子カバー１０３を本体４から取り外す。
（２）端子カバー１０３を上下方向に反転させ、第二の位置で本体４に配置し、ねじ１０３ａで固定する。
（３）変流器３の二次出力部８を短絡片８ａで短絡させる。
（４）計器２を交換する。
（５）短絡片８ａの短絡状態を解除する。
（６）第二の位置にある端子カバー１０３を本体４から取り外し、上下方向に反転させて、第一の位置で本体４に固定する。
【産業上の利用可能性】
【００３７】
本発明は、電力量計等の、変流器または計器用変成器と組合わせて使用される変成器付き計器に使用される据置端子等に適用される。
【符号の説明】
【００３８】
１  変流器内蔵据置端子
２  計器
２ａ  計器端子部
３  変流器
４  据置端子本体
４ａ  一次結線部
４ｂ  二次結線部
５  配電線
６  圧着端子
７  一次端子
７ａ  ねじ穴
７ｂ  基端部
７ｃ  先端部
８  変流器の二次出力部
８ａ  短絡片
９  棒端子
９ａ  圧着部
９ｂ  棒部
１０  固定具
１１  導体
１２  リード線
４０  隔壁
４１、４２  側壁
４３  後壁
４４  隔壁
４５  下壁
４６  ねじ穴
４７ａ、４７ｂ  取り付け穴
４８  前壁
４８ａ  切欠き部
４８ｂ  封印穴
４９  後壁
４９ａ  湾曲溝
５０  保持部
５０ａ  後壁
５０ｂ  側壁
１００  固定具の第１の部分
１００ａ  開口部
１００ｂ  上壁
１００ｃ  前壁
１００ｄ  後壁
１００ｅ  側壁
１００ｆ  固定具収容部
１００ｇ  隔壁
１００ｈ  切欠き部
１００ｉ  開口部
１００ｊ  開口部
１０１  固定具の第２の部分
１０１ａ  上壁
１０１ｂ  側壁
１０１ｃ  隔壁
１０２  上部カバー
１０２ａ  開口部
１０２ｂ  突起
１０２ｃ  封印穴
１０２ｄ  側壁
１０２ｅ  ホルダー部
１０３  端子カバー
１０３ａ  端子カバー用取り付けねじ
１０３ｂ  突起
【図１】
2015184227.tif 000003
【図２】
2015184227.tif 000004
【図３】
2015184227.tif 000005
【図４Ａ】
2015184227.tif 000006
【図４Ｂ】
2015184227.tif 000007
【図５】
2015184227.tif 000008
【図６】
2015184227.tif 000009
【図７】
2015184227.tif 000010
【図８】
2015184227.tif 000011
【図９】
2015184227.tif 000012
【図１０】
2015184227.tif 000013
【図１１】
2015184227.tif 000014
【図１２】
2015184227.tif 000015
【図１３Ａ】
2015184227.tif 000016
【図１３Ｂ】
2015184227.tif 000017
【図１４】
2015184227.tif 000018
【図１５】
2015184227.tif 000019
【図１６】
2015184227.tif 000020